(57)【要約】【課題】単純な入力操作により操作・設定等のすべてが行える電子カメラおよびその撮影システムを提供。【解決手段】ディジタルカメラ１０は、システム制御部２０のシフト時間設定機能部２００で項目に対応するカーソルによる表示を所定の時間間隔に移動するように設定し、システム制御部２０のメインＣＰＵ  ２０ｂでカーソルをシフト巡回させ、選択ボタン２４の選択に応じて下層の階層に位置する項目とともに、カーソルをモニタ部３６に表示させ、カーソル位置に対応する項目を選択ボタン２４で選択することにより、選択ボタン２４一つでこのカメラ１０に要求される撮影および設定における操作・設定の情報等を順次誘導し、操作者に選択させている。【選択図】        図１
2004186798.tif 000002
【特許請求の範囲】
【請求項１】
被写界からの入射光を光電変換する撮像素子により電気信号にして、該電気信号に信号処理を施して得られる画像データを記録する電子カメラにおいて、該カメラは、
該カメラに対する複数の情報からの選択を一つで行う第１入力手段と、
該情報の項目を並列表示させながら、該情報の項目のそれぞれが表示される位置に選択可能状態を示すカーソルを所定の時間間隔で移動巡回させ、第１入力手段からの選択に応じて選択した情報に対して階層接続されている次の情報の項目を並列表示させながら、前記カーソルを表示する各項目位置に移動巡回させながら、第１入力手段の選択を受けて該カメラの設定および動作を制御する制御手段と、
前記情報の項目を並列表示させ、一つの項目に対して前記カーソルを重畳させ、前記画像データを画像として表示する第１表示手段とを含み、
前記制御手段は、前記所定の時間間隔を設定する時間設定機能ブロックを含むことを特徴とする電子カメラ。
【請求項２】
請求項１に記載のカメラにおいて、前記制御手段は、前記情報の項目における最上位の階層に該カメラの基本的な動作に関する第１種の項目を表示制御し、該項目それぞれの選択に対して前記次の情報の項目として第２種の項目を第２の階層に位置する項目を表示制御し、該表示された項目に対する選択に応じて制御を行うことを特徴とする電子カメラ。
【請求項３】
請求項２に記載のカメラにおいて、第１種の項目は、該カメラによる撮影、該カメラによる画像データの再生、該カメラの撮影における設定および該カメラへの電源供給の遮断を示す項目に対応していることを特徴とする電子カメラ。
【請求項４】
請求項２または３に記載のカメラにおいて、第２種の項目は、前記撮影の項目を示す階層に対応してズーム、マニュアルによるフォーカス、レリーズおよび階層を一つ前に戻す項目、前記再生の項目を示す階層に対応して撮影された画像データの読出しに関するコマ送り、コマ戻し、前記画像データに対する拡大／縮小処理を信号処理により施す電子ズームおよび階層を一つ前に戻す項目、前記設定の項目を示す階層に対応して該カメラの操作者による独自な撮影条件設定であるマニュアル設定、該カメラにおいてあらかじめ設定された撮影条件設定であるオート設定および階層を一つ前に戻す項目、ならびに前記電源断の項目を示す階層に対応してカウントダウン表示後に断する項目および階層を一つ前に戻す項目を有し、
第２の階層の選択に応じて下層に位置する第３の階層にて第３種の項目として選択した項目の処理動作、項目選択の可否、細分化されたさらなる項目の選択および階層を一つ前戻す項目のいずれかを選択し、
第３の階層に接続された下層に位置する第４の階層にて第４種の項目として選択した項目の処理動作、細分化されたさらなる項目における内容の選択および階層を一つ前戻す項目のいずれかを選択する表示制御ならびに該選択に応じた制御のいずれかの選択する情報が書き込まれていることを特徴とする電子カメラ。
【請求項５】
請求項１ないし４のいずれか一項に記載のカメラにおいて、第１入力手段は、機械的な操作、電磁波、電流および電位の変位を検出するセンサのいずれかを用いることを特徴とする電子カメラ。
【請求項６】
請求項１ないし５のいずれか一項に記載のカメラにおいて、該カメラは、該カメラを取り付ける支持機構を有するアーム駆動装置に取り付けられ、
該アーム駆動装置は、前記支持機構に取り付けられたカメラを所望の方向に向ける駆動機構と、
該駆動機構に駆動信号を生成して供給する駆動信号生成手段と、
該アーム駆動装置の駆動に関する制御信号を前記駆動信号生成手段に供給する第１のインタフェース手段とを含む撮影システムを構築し、
さらに、該撮影システムは、前記アーム駆動装置に対する操作指示および該カメラに対する操作指示を遠隔的に入力するとともに、前記駆動機構に対する駆動制御手段を備えた第２入力手段と、
該カメラの項目および前記カーソルを表示するとともに、該カメラにて撮像した画像データを画像として該カメラと離れた場所で表示する第２表示手段とを含む電子カメラにおける撮影システム。
【請求項７】
請求項６に記載のシステムにおいて、第２入力手段および第２表示手段は、それぞれにデータをやり取りする第２および第３のインタフェース手段を有し、
第１、第２および第３のインタフェース手段は、それぞれに、前記データの送受信を無線により行う通信手段を含むことを特徴とする電子カメラにおける撮影システム。
【発明の詳細な説明】
【０００１】
【発明の属する技術分野】
本発明は、電子カメラおよびその撮影システムに関し、本発明は、たとえば操作を誘導して撮影を行うディジタルカメラに関するものであり、本発明はこの電子カメラを用いて構築される撮影システムに関するものである。
【０００２】
【従来の技術】
情報処理機器において、情報の入力には、一般的にキーボードやポインティングデバイス、そして各種のスイッチ等の入力インタフェースを利用して行われている。このように情報入力の操作は、手を介して行われる。このような情報処理機器の使用は、身体的に障害の中でも、特に、上肢に障害を持つ人にとって困難なものになることが知られている。
【０００３】
また、手袋等を装着している作業者も情報入力の操作が通常の手指による操作を念頭にして設計された小さな選択ボタンのような入力インタフェースでは困難なものになっている。入力インタフェースの操作性を向上させるため、手袋の指に合わせて複数の大きなキーやスイッチ等は通常に比べて大型化されている。
【０００４】
このような身障者や作業者にとって、入力インタフェースは、操作の簡略化が望まれている。特開平８−２１２００７号公報に記載された文字・記号入力機構は、入力装置における入力手段の投入または切断のタイミングまたは投入切断の回数によりディスプレイに表示する文字・記号類または文字群、記号群単位の走査開始、一時停止、走査速度の変更または入力確定を行う。
【０００５】
【特許文献１】
特開平８−２１２００７号公報。
【０００６】
【発明が解決しようとする課題】
情報処理機器の一つである電子カメラも撮影者が満足する撮影を行うため多くの操作キーを有している。軽度の障害や上述した作業者の場合、音声認識機能の設定、操作キーの大型化、そして上述した機構の利用等で対応できる。しかしながら、より高い障害度を持つ場合、微妙なタイミングや所望の処理を行わせるための操作回数を数える操作ですら、これらの当事者にとってこの操作は、複雑な操作になっている。カメラの機能を有効に発揮させようとする場合、このような設定および操作は、カメラにおいても非常に複雑なものになっている。
【０００７】
本発明はこのような従来技術の欠点を解消し、単純な入力操作により操作・設定等のすべてが行える電子カメラおよびその撮影システムを提供することを目的とする。
【０００８】
【課題を解決するための手段】
本発明は上述の課題を解決するために、被写界からの入射光を光電変換する撮像素子により電気信号にして、この電気信号に信号処理を施して得られる画像データを記録する電子カメラにおいて、このカメラに対する複数の情報からの選択を一つで行う第１入力手段と、この情報の項目を並列表示させながら、この情報の項目のそれぞれが表示される位置に選択可能状態を示すカーソルを所定の時間間隔で移動巡回させ、第１入力手段からの選択に応じて選択した情報に対して階層接続されている次の情報の項目を並列表示させながら、カーソルを表示する各項目位置に移動巡回させながら、第１入力手段の選択を受けてこのカメラの設定および動作を制御する制御手段と、情報の項目を並列表示させ、一つの項目に対してカーソルを重畳させ、、画像データを画像として表示する第１表示手段とを含み、制御手段は、所定の時間間隔を設定する時間設定機能ブロックを含むことを特徴とする。
【０００９】
本発明の電子カメラは、制御手段の時間設定機能ブロックで情報の項目に対応するカーソルによる表示を所定の時間間隔に移動するように設定し、制御手段でシフト巡回させ、第１入力手段の選択に応じて下層の階層に位置する情報の項目とともに、カーソルを第１表示手段に表示させ、カーソル位置に対応する情報の項目を第１入力手段で選択することにより、第１入力手段一つで電子カメラに要求される撮影および設定における操作・設定の情報等を順次誘導し、操作者に選択させている。
【００１０】
【発明の実施の形態】
次に添付図面を参照して本発明による電子カメラの一実施例を詳細に説明する。
【００１１】
本実施例は、本発明の電子カメラをディジタルカメラ１０に適用した場合である。本発明と直接関係のない部分について図示および説明を省略する。以下の説明で、信号はその現れる接続線の参照番号で指示する。
【００１２】
ディジタルカメラ１０は、光学系１２、撮像部１４、前処理部１６、信号処理部１８、システム制御部２０、ＲＯＭ（Ｒｅａｄ−Ｏｎｌｙ  Ｍｅｍｏｒｙ）２２、選択ボタン２４、ドライバ２６、充電発光制御部２８、フラッシュ部３０、インタフェース部３２、ストレージ３４およびモニタ部３６を含んでいる。
【００１３】
光学系１２には、具体的に図示しないが光学レンズの配置を自動的に変位調節して被写体を焦点の合った位置関係に調節するオートフォーカス（ＡＦ：  Ａｕｔｏｍａｔｉｃ  Ｆｏｃｕｓ）調節機構、自動的に入射光量を調節するオートエクスポージャ（ＡＥ：  Ａｕｔｏｍａｔｉｃ  Ｅｘｐｏｓｕｒｅ）調節機構および撮影する被写界の画角の大きさを調整するズーム機構が含まれている。ＡＦ調節機構やズーム機構のそれぞれには、上述したフォーカス位置や所望する画角を得るために光学レンズを移動させるためモータが配設されている。特に、ズーム機構を調節すると、ＡＦ調節機構は、このズーム機構の調節に連動して調節を行う。これらの機構は、各モータにドライバ２６からそれぞれ供給される駆動信号２６ａに応動して動作している。
【００１４】
ＡＥ調節機構は、ドライバ２６からの駆動信号２６ｂに応じてリング部を回転させる。リング部は、羽根を部分的に重ならせてアイリスの形状を丸く形成し、入射する光束を通すようにアイリスを形成する。このようにしてＡＥ調節機構はアイリスの口径を変えている。ＡＥ調節機構は、メカニカルシャッタをレンズシャッタとして光学系１２に組み込んでもよい。
【００１５】
撮像部１４は、図示しないが光学ローパスフィルタ、色フィルタおよび固体撮像素子を含む。光学ローパスフィルタは、入射光の空間周波数をナイキスト周波数以下にするフィルタである。色フィルタは、たとえば三原色ＲＧＢの色フィルタセグメントが固体撮像素子である個々の受光素子（ｐｈｏｔｏｓｅｎｓｉｔｉｖｅ  ｃｅｌｌ）と一対一に所定の位置関係に配されたフィルタである。したがって、色フィルタは、この受光素子の配置に依存する。固体撮像素子は、２次元アレイ状に受光素子が配設され、受光素子で形成する撮像面に結像した光学像における光の強さを電気信号に光電変換している。固体撮像素子には、このように光学系１２を経て集光された入射光が入射される。
【００１６】
固体撮像素子には、ドライバ２６から駆動信号２６ｃが供給されている。固体撮像素子には、動作モードに応じた駆動信号２６ｃが供給され、入射光から光電変換特性に応じた信号電荷が生成され、この信号電荷をフローティングディフュージョンアンプ（ＦＤＡ）に転送してＱ／Ｖ変換してアナログ電圧信号に変換される。固体撮像素子では、この光電変換特性を反映した信号電荷が生成される。撮像部１４は、アナログ電圧信号１４ａを前処理部１６に出力する。
【００１７】
前処理部１６には、図示しないが、ノイズ除去に相関二重サンプリング（Ｃｏｒｒｅｌａｔｅｄ  Ｄｏｕｂｌｅ  Ｓａｍｐｌｉｎｇ：  ＣＤＳ）回路、ゲイン調整アンプ（ＧＣＡ：  Ｇａｉｎ  Ｃｏｎｔｒｏｌ  Ａｍｐｌｉｆｉｅｒ）、およびＡ／Ｄ変換器（Ａｎａｌｏｇ−ｔｏ−Ｄｉｇｉｔａｌ  Ｃｏｎｖｅｒｔｅｒ）が含まれている。前処理部１６は、供給されるアナログ信号１４ａに対してノイズ除去、波形整形、ディジタル化を行って得られた撮像データのすべてを画像データ１６ａとしてシステムバス１００を介して信号処理部１８に出力する。
【００１８】
信号処理部１８には、少なくとも、バッファメモリ１８ａ、ＹＣ処理部１８ｂおよび圧縮伸長部１８ｃを含んでいる。信号処理部１８は、システムバス１００とデータバス１８ｄを介してデータをやりとりし、システムバス１００、制御バス１８ｅを介して供給される制御信号により制御される。バッファメモリ１８ａは、供給される画像データ１６ａを一時的に格納する。格納した画像データには、たとえばガンマ補正、ホワイトバランス（ＷＢ：  Ｗｈｉｔｅ  Ｂａｌａｎｃｅ）調整および階調補正等が施される。また、信号処理部１８は、バッファメモリ１８ａを利用して、供給される画像データのうち、画素に対応して配設された色フィルタの色以外の色に関する画素データも補間処理により生成する。いわゆるＲＧＢ同時化（一致）処理である。
【００１９】
このようにして得られた三原色ＲＧＢの画像データを用いてＹＣ処理部１８ｂでは、画素に対する輝度信号Ｙと色信号ＣをそれぞれＹＣ処理部１８ｂで生成する。ＹＣ処理部１８ｂは、図示しないがマトリクス処理機能部を含み、供給される画像データ１８ａと所定の係数を用いて輝度データＹと色データＣｂ，  Ｃｒ、色差信号を生成する。生成した画像データは、圧縮伸長部１８ｃに供給される。
【００２０】
圧縮伸長部１８ｃは、たとえばスチル撮影を行う静止画モードにおいて供給される画像データ（Ｙ／Ｃ）にＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）や動画（ムービ）撮影する動画モードにおいて供給される画像データ（Ｙ／Ｃ）にＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）−１，  ＭＰＥＧ−２等の規格でそれぞれ、圧縮処理を施す。圧縮伸長部１８ｃは、データバス１８ｄ、システムバス１００、データバス３２ａを介してインタフェース部３２に供給し、さらに、データバス３４ａを介して圧縮処理した画像データをストレージ３４に送って記録する。圧縮伸長部１８ｃは、再生時においてストレージ３４に記録されている画像データが上述した経路の逆の順序で読み込まれ、この画像データに伸長処理を施す。ここで施す伸長処理は、圧縮処理の逆処理である。
【００２１】
また、信号処理部１８は、バッファメモリ１８ａに格納し、補正された画像データ１６ａの一部をＡＥ・ＡＦ用のデータとしてデータバス１８ｄ、システムバス１００、データバス２０ａを介してシステム制御部２０に供給する。信号処理部１８は、ＹＣ処理された画像データをモニタ部３６にも出力している。
【００２２】
システム制御部２０は、カメラ全体の汎用な処理を行うメインＣＰＵ（Ｃｅｎｔｒａｌ  Ｐｒｏｃｅｓｓｉｎｇ  Ｕｎｉｔ）２０ｂとＡＥ・ＡＦ用のＣＰＵ  ２０ｃを含んでいる。システム制御部２０は、選択ボタン２４から供給される信号２４ａに応じてディジタルカメラ１０を動作させる。  システム制御部２０は、図示していないが動作の基本となるクロックも生成している。システム制御部２０は、クロックを基にメインＣＰＵ  ２０ｂにより前処理部１６、信号処理部１８、およびＲＯＭ  ２２を制御し、ＡＥ・ＡＦ用のＣＰＵ  ２０ｃによりドライバ２６および充電発光制御部２８等を制御している。
【００２３】
さらに説明すると、システム制御部２０のメインＣＰＵ  ２０ｂは、ＲＯＭ  ２２から読み出したデータを基にカメラの動作を制御する制御信号２０ｄを生成する。本実施例では制御信号２０ｄには、モニタ部３６に表示する制御も含まれている。メインＣＰＵ  ２０ｂは、ＡＦ・ＡＥ用のＣＰＵ  ２０ｃと信号線２０ｅで接続されている。メインＣＰＵ  ２０ｂには、カーソル表示のシフト時間を設定するシフト時間設定機能部２００が含まれている。シフト時間設定機能部２００は、複数のシフト時間を設定できる。この時間は、図示しないがモニタ部３６にシフト時間をそれぞれ表示させ、カーソルの重畳されたシフト時間を選択ボタン２４で選択することにより設定することができる。シフト時間は、デフォルトで１秒に設定されている。
【００２４】
ＡＦ・ＡＥ用のＣＰＵ  ２０ｃには、メインＣＰＵ  ２０ｂ、信号線２０ｅを介して前述した信号処理部１８から測光および測距用としての画像データが供給される。ＡＦ・ＡＥ用のＣＰＵ  ２０ｃは、供給される画像データを用いて演算処理によりＡＥおよびＡＦの少なくとも一方を制御するように制御信号２０ｆをドライバ２６に送る。ＡＦ・ＡＥ用のＣＰＵ  ２０ｃは、フラッシュを発光させる場合、発光の設定に応じて距離および明るさ等の情報に応じた制御信号２０ｆを充電発光制御部２８にも供給する。
【００２５】
ＲＯＭ  ２２は、一度だけプログラムできるＰＲＯＭ（Ｐｒｏｇｒａｍｍａｂｌｅ  Ｒｅａｄ  Ｏｎｌｙ  Ｍｅｍｏｒｙ）、情報の消去・再書込みが可能な紫外線消去形ＥＰＲＯＭ（Ｅｒａｓａｂｌｅ  ＰＲＯＭ）およびＥＥＰＲＯＭ（Ｅｌｅｃｔｒｉｃａｌｌｙ  Ｅｒａｓａｂｌｅ  ＰＲＯＭ）等を用いる。ＲＯＭ  ２２には、ディジタルカメラ１０の操作や動作の手順や撮影条件等の情報が記憶されている。ＲＯＭ  ２２は、図示しないがシステム制御部２０からの読出し制御に応じて記憶されている情報をシステム制御部２０に出力する。
【００２６】
選択ボタン２４は、ディジタルカメラ１０に電源スイッチを含めて操作を選択するディジタルカメラ１０における唯一の選択スイッチである。選択ボタン２４は、指等で押圧操作することによりモニタ部３６に表示されている項目を選択したことを示す選択信号２４ａをシステム制御部２０に出力する。ここで、この項目選択以外の電源オフ状態で、選択ボタン２４を操作すると、ディジタルカメラ１０は電源オンの状態にする。
【００２７】
なお、選択ボタン２４は、ボタンスイッチのような機械的なセンサに限定されるものでなく、光センサ、電磁波を用いたセンサ、電流を用いたセンサ、電子カメラの撮像を用いたセンサ、筋電位を用いたセンサ等から情報をインタフェースに供給し、このインタフェースを介して供給される信号に応じて項目等の各種選択を行うようにしてもよい。
【００２８】
ドライバ２６は、図示しないタイミング信号生成部で生成されたタイミング信号や制御信号２０ｆを基に駆動信号２６ａ，  ２６ｂ，  ２６ｃを生成する駆動回路を有している。ドライバ２６は、制御信号２０ｆを基に駆動信号２６ａ，  ２６ｂを光学系１２にそれぞれ供給してＡＦ調節用信号やＡＥ調節用信号として供給している。また、ドライバ２６は、タイミング信号を基に生成した駆動信号２６ｃを撮像部１４に供給する。そして、撮像部１４は、駆動信号２６ｃに応動して固体撮像素子のそれぞれが露光期間中に光電変換により得られた信号電荷を蓄積させ、この蓄積した信号電荷を垂直転送レジスタに読み出し、読み出した信号電荷を垂直転送し、信号電荷をラインシフトさせて水平転送レジスタに供給した後、水平転送させる。
【００２９】
充電発光制御部２８は、フラッシュを発光させるモードの選択に応じて充電とフラッシュ部３０の発光タイミングを制御する機能を有している。充電発光制御部２８は、供給される制御信号２０ｆを基に絞り値および対象の被写体までの距離に応じて図示しない充電器に充電制御信号を生成供給し、撮影タイミングに応動して発光タイミング信号２８ａをフラッシュ部３０に送る。
【００３０】
フラッシュ部３０は、設定の絞りおよび露光期間に入射する入射光量の不足光量を補うための補助光源である。フラッシュ部３０は、たとえば、無色透明なガラス球に封入したガスを発光させている。
【００３１】
インタフェース部３２は、たとえば、ＰＩＯ  （Ｐｒｏｇｒａｍｍｅｄ  Ｉｎｐｕｔ／Ｏｕｔｐｕｔ）、ＵＡＲＴ  （Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ：非同期シリアル通信用送受信回路）、ＵＳＢ（Ｕｎｉｖｅｒｓａｌ  Ｓｅｒｉａｌ  Ｂｕｓ）、ＩＥＥＥ１３９４規格（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ：米国電気電子技術者協会）に基づくインタフェース等がある。インタフェース部３２は、システムバス１００、データバス３２ａ、３４ａを介して供給される画像データ等の情報をストレージ３４に供給したり、ストレージ部３４から読み出した画像データ等を上述した逆の順序でシステムバス１００を介して信号処理部１８に送る。
【００３２】
ストレージ３４は、半導体メモリ等を記録媒体として用いて、信号処理部１８からデータバス１８ｄ、システムバス１００、データバス３２ａ，  ３４ａを介して供給される画像データを記録する。記録媒体には、光ディスクや光磁気ディスクや磁気記録ディスクであるマイクロドライブ等を用いてもよい。この場合ストレージ３４は、各記録媒体に適したピックアップやピックアップと磁気ヘッドを組み合わせて記録再生用ヘッドを用いてデータの書込み／読出しを行う。データの書込み／読出しは、図示しないがシステム制御部２０の制御に応じて行われる。
【００３３】
モニタ部３６は、ＲＧＢ変換部３６ａ、表示ドライバ３６ｂ、ＬＣＤ（Ｌｉｑｕｉｄ  Ｃｒｙｓｔａｌ  Ｄｉｓｐｌａｙ）３６ｃを含む。ＲＧＢ変換部３６ａは、システムバス１００を介して供給されるＹ／ＣデータをＬＣＤ  ３６ｃに表示しても破綻のない画像になるように画素数を調整し、各画素で表示する色に合わせてＲＧＢデータが得られるように変換するとともに、システム制御部２０から供給されるメニュー項目や設定情報およびカーソル等も重畳する機能を有している。表示ドライバ３６ｂは、供給されるＲＧＢ変換部３６ａからのＲＧＢデータに応じてＬＣＤ  ３６ｃを駆動する機能を有し、ＬＣＤ  ３６ｃに駆動信号を出力している。ＬＣＤ  ３６ｃは、表示ドライバ３６ｂからの駆動信号に応じて液晶シャッタを駆動させる。
【００３４】
図１には図示していないが、ディジタルカメラ１０には、ファインダ３８も有している。ファインダ３８には、単に光学像を映すビューファインダまたは電子ビューファインダ（ＥＶＦ：  Ｅｌｅｃｔｒｏｎｉｃ  Ｖｉｅｗ  Ｆｉｎｄｅｒ）を有している。前者のファインダを使用する場合、ディジタルカメラ１０には、少なくとも上述したモニタ部３６を含んでいる。また、ディジタルカメラ１０には、後者のＥＶＦを使用する場合、表示する情報として供給される画像データとメニュー等の情報を重畳し、カーソルも合わせて表示用情報を作成し、この情報をＲＧＢ変換する変換部、表示ドライバおよびＬＣＤを用いる。たとえば画像の再生においてモニタ部３６およびＥＶＦの両方を装備する場合、選択メニューは図示しないがユーザはいずれか一方を選択ボタン２４で選ぶようにしてもよい。
【００３５】
このようにディジタルカメラ１０には、図２（ａ）に示すように、構成要素の内、筐体表面において表側に光学系１２、フラッシュ部３０およびファインダ３８があり、そして、図２（ｂ）に示すように背面側に選択ボタン２４、モニタ部３６およびファインダ３８だけが表れている。したがって、ユーザ（操作者）は、ディジタルカメラ１０に対して唯一の選択ボタン２４を用いてカメラ操作することになる。
【００３６】
次にディジタルカメラ１０の操作および動作について説明する。本実施例では操作メニューをモニタ部３６に表示した場合を示す。電源オフの状態で選択ボタン２４を押すと、ディジタルカメラ１０は電源投入される。電源投入後、ディジタルカメラ１０はＲＯＭ  ２２に書き込まれているプログラムを読み出して初期設定を行う。モニタ部３６のＬＣＤ  ３６ｃには、図３に示す操作メニューが画面３６０に表示される。操作メニューには、「撮影」、「再生」、「設定」および「電源断」の４つの項目が表示される。４つの項目は、後述する操作に関する階層構造の最上層に対応している。操作メニューにおいて４つの内、ディジタルカメラ１０は、メインＣＰＵ  ２０ｂの機能により一項目に対して選択状態を示すようにカーソル３６２を表示する。４つの画面３６０ａ，  ３６０ｂ，  ３６０ｃ，  ３６０ｄが示すように、メインＣＰＵ  ２０ｂのシフト時間設定機能部２００は、あらかじめ設定された時間毎やユーザ設定した時間毎に各表示項目上へカーソル３６２をシフトさせる時間制御信号（図示せず）を図示しない表示制御部に提供している。シフトする間隔は、基本的に１秒である。メインＣＰＵ  ２０ｂは、図３に示すように、項目が選択されるまでカーソル３６２を所定の時間間隔でシフトさせ、カーソル３６２の表示された選択可能状態を示す項目を巡回させながら、モニタ部３６に表示させている。
【００３７】
メインＣＰＵ  ２０ｂは、カーソル３６２と項目とを重畳させて表示している際に選択ボタン２４が押圧操作されると、選択ボタンから選択信号２４ａがメインＣＰＵ  ２０ｂに供給される。このとき、メインＣＰＵ  ２０ｂは、選択信号２４ａの供給を受けて重畳表示された項目が選択されたことを認識する。
【００３８】
図４は、《撮影》が選択された場合の画面３６０ａおよび各階層構造を示している。「撮影」の下層には、「ズーム」、「Ｍ−フォーカス」、「レリーズ」および「戻る」と４つの項目が表示される。メインＣＰＵ  ２０ｂは、「撮影」に関するこれらの４項目の選択画面３６２ａ，  ３６２ｂ，  ３６２ｃ，  ３６２ｄをそれぞれ前述した時間間隔でカーソル３６２を順次シフトさせて、項目が選択されるまでスキャン走査を繰り返す。《撮影》が選択されていることを示すように、４つの選択画面３６２ａ，  ３６２ｂ，  ３６２ｃ，  ３６２ｄには、上位階層の項目「−撮影−」を表示している。
【００３９】
《ズーム》が選択ボタン２４で選択されると、「ズーム」に対する下層の階層に移行する。画面３６４ａには選択した階層「−ズーム−」を表示し、この階層における項目「ズーム」および「戻る」を表示する。この階層においてもカーソルは、所定の間隔毎にカーソル表示をシフトさせている。ここで、さらに《ズーム》が選択ボタン２４により選択されると、画面３６６ａにて実際の撮影におけるズーム処理を行う階層に移行する。ズーム処理は、選択ボタン２４の操作に応じてズーム量を段階的に変化させ、現在のズーム量を三角形のマークがシフトし、その都度指摘された画角で撮影した被写界像を表示する。選択ボタン２４が連続２回操作されたとき、メインＣＰＵ  ２０ｂは、ズームが決定されたと判断して最上位の階層を表示する画面３６０ａに戻る。
【００４０】
《戻る》が選択ボタン２４で選択されると、一つ前の上位階層に表示を戻す。以後、この処理は同じ戻し処理を行うことから、説明を省略する。
【００４１】
次に《撮影》の下層で《Ｍ−フォーカス》が選択ボタン２４で選択されると、マニュアルによってフォーカス調整を行う階層に移行する。移行を示すため画面３６４ｂには、「−フォーカス−」を表示する。項目としては、「調整」および「戻る」が表示される。《調整》が選択ボタン２４で選択されると、画面３６６ｂの画像表示領域には、選択ボタン２４の操作に応じて光学系１２の焦点距離を変化させて得られた画像が表示される。ディジタルカメラ１０は、選択ボタン２４の操作に応じて焦点調整範囲を繰返し走査し、選択ボタン２４の押圧がなくなると、その焦点調整位置で停止する。ユーザは、所望する焦点での画像が表示された時点で、選択ボタン２４を２回連続押圧操作する。このとき、メインＣＰＵ  ２０ｂは、マニュアルによるフォーカス調整が完了したと判断して最上位の階層を示す画面３６０ａに戻る。
【００４２】
次に《撮影》の下層で《レリーズ》が選択ボタン２４で選択されると、画面３６４ｃには「−レリーズ−」を表示し、３つの項目「撮影」、「待機」および「戻る」を表示するとともに、カーソルを所定の時間間隔でシフトさせる。カーソルが「撮影」の位置で選択ボタンが押されると、通常のディジタルカメラにおける予備撮像の状態になり、ユーザが所望のタイミングで選択ボタン２４を押圧操作すると、本撮像を行う。このとき、２度目の本撮像において選択ボタン２４が連続して押圧操作されると、メインＣＰＵ  ２０ｂは、連写が要求されたと判断して連続撮影を行う。本撮像の終了後、最上位の階層を示す画面３６０ａに戻す。
【００４３】
ここで、本撮像は、予備撮像の要求後、たとえばあらかじめ設定した秒数を経過してもボタン操作またはシューティングが行われなかった場合、メインＣＰＵ  ２０ｂはタイムアウトと判断して一つ前の階層に戻るようにしてもよい。
【００４４】
また、《待機》が選択ボタン２４で選択されると、ディジタルカメラ１０は、図示しないがあらかじめ設定した時間の経過後に自動的に本撮像を行う。
【００４５】
《撮影》において《戻る》が選択ボタン２４で選択されると、メインＣＰＵ  ２０ｂは、操作選択処理を最上位の階層を示す画面３６０ａに戻す。
【００４６】
次に《再生》が選択ボタン２４で選択された場合について図５を用いて説明する。再生モードでは、再生操作を指示する５つの項目が表示される。５つの項目は、「再生」、「コマ送り」、「コマ戻し」、「電子ズーム」および「戻る」である。年配者に配慮して文字で表示してもよい。図５には、４つ項目の選択画面３６８ａ，  ３６８ｂ，  ３６８ｃおよび３６８ｄを示す。また、図５に示すように、表示項目は、一般的に再生装置で使用されているマークを用いるようにしてもよい。ディジタルカメラ１０は、表示を選択できるようにしておくことが望ましい。同一の階層に表示される項目は、所定の時間間隔でカーソル３６２をシフトさせる。
【００４７】
《再生》が選択ボタン２４で選択されると、下層の再生処理に移行する。これにともなってメインＣＰＵ  ２０ｂは画面３６８ａ，  ３６８ｂ，  ３６８ｃ，  ３６８ｄに「−再生−」を表示し、再生処理としてストレージ３４に記憶されている画像データを読み出し、信号処理部１８で伸長処理を施すように制御して得られた画像をモニタ部３６に供給してＬＣＤ  ３６ｃの画面３７０ａを表示する。このとき、ＬＣＤ  ３６ｃは、再生処理段階で表示する項目「戻る」にカーソル３６２をあわせている。再生処理を抜ける場合、選択ボタン２４を２回連続して押すと処理を最上位の階層を示す画面３６０ｂに戻す。また、選択ボタン２４が１回だけ操作された場合、一つ前の選択画面３６８ａ（または階層）に戻る。
【００４８】
《コマ送り》が選択ボタン２４で選択されると、再生処理では、サムネイル画像を複数表示して、選択可能状態にあるコマ（サムネイルの）画像を太い枠で囲むようにして選択候補の画像を示す画面３７０ｂにする。メインＣＰＵ  ２０ｂは、各コマの選択可能状態をあらかじめ設定した時間間隔で自動的にシフトさせている。ユーザ（操作者）は、再生を所望するサムネイル画像が選択可能状態になったとき、選択ボタン２４を押圧操作して画像を選択する。メインＣＰＵ  ２０ｂは、この選択操作に応じて画面３７２ｂを表示する。画面３７０ｂにおいて選択可能状態を表すカーソルが、最後のコマに達した後、カーソル３６２を「戻る」にシフトする。この後、選択ボタン２４による選択がまだ行われない場合、再びコマの最初から順次選択候補をシフトさせる表示を繰り返す。選択ボタン２４で選択されると、上述した《再生》の場合と同様の処理が施され、画像が再生表示される。再生を終了する場合、連続２回の選択ボタン２４の操作により階層を最上位の階層を示す画面３６０ｂに戻す。
【００４９】
《コマ戻し》が選択ボタン２４で選択されると、画面３７０ｃを表示する。コマが選択されると、画面３７２ｃを表示する。《コマ戻し》の操作はコマの選択順序が《コマ送り》と逆方向で異なる点を除き、メインＣＰＵ  ２０ｂは、この他の処理を《コマ送り》と同様に制御する。
【００５０】
《電子ズーム》が選択ボタン２４で選択されると、メインＣＰＵ  ２０ｂは画面３７０ｄに「−再生−」を表示させ、下層に位置する項目「電子ズーム」および「戻る」を表示する。《電子ズーム》が選択ボタン２４で選択されると、メインＣＰＵ  ２０ｂは、画面３７２ｄにして、「電子ズーム」の下層に位置するこの選択に対応した電子ズーム処理に移行する。ここで、電子ズームする再生画像は、たとえば「コマ送り」または「コマ戻し」の項目であらかじめ選択されている画像を対象とする。電子ズームの拡大／縮小の度合いは、可変するズーム量の大きさを三角形のマークで表す。三角形のマークはズーム範囲を繰返しゆっくり移動する。画像表示領域には、それぞれのズーム量で表された画像が表示される。このズーム可変中に所望の画像が表示されたならば、ユーザ（操作者）は、選択ボタン２４を押圧操作してズーム処理を停止する。この再生表示を終了させる場合、選択ボタン２４を連続２回押圧操作して終了させ、画面３６０ｂに戻る。
【００５１】
なお、電子ズームでは、上述したズーム量の選択だけでなく、図示しないが、画像におけるズーム領域も選べるようにすることが好ましい。
【００５２】
次に最上位層で《設定》が選択ボタン２４で選択された場合について図６を用いて説明する。《設定》が選択ボタン２４で選択されると、メインＣＰＵ  ２０ｂは、画面３７４ａ，  ３７４ｂに「−設定−」が選択されたことを表示するとともに、３つの項目「オート」、「マニュアル」および「戻る」を表示させる。この３つの項目は同一階層にあるので、メインＣＰＵ  ２０ｂは、選択ボタン２４により項目の選択が行われるまで、所定の時間間隔毎にカーソルをシフト巡回させる。《オート》が選択ボタン２４で選択されると、撮影に使用するパラメータをあらかじめ設定している値にセットする。この設定後、最上位の項目表示する階層を示す画面３６０ｃに戻る。
【００５３】
また、《マニュアル》が選択ボタン２４で選択されると、メインＣＰＵ  ２０ｂは、画面に「−マニュアル−」を表示させ、この階層における６つの設定項目「フラッシュ」、「マクロ」、「Ｗバランス」、「ＩＳＯ感度」、「画素数」および「戻る」を表示する。図６には、この内、４つの画面３７６ａ，  ３７６ｂ，  ３７６ｃ，  ３７６ｄが表示されている。カーソル３６２は、所定の時間間隔毎に選択されるまで、順序に応じて繰返し巡回させている。
【００５４】
《フラッシュ》が選択ボタン２４で選択されると、メインＣＰＵ  ２０ｂは、下層の「−フラッシュ−」が選択されたことを画面３７８ａに表示し、補正に関する４つの指標値「＋０．６」、「＋０．３」、「０」および「−０．３」ならびに選択処理項目「戻る」を表示する。ここで、カーソルは、５つの項目を所定の時間間隔でシフトして巡回している。選択ボタン２４で指標値が選択されると、「フラッシュ」における補正値が決定される。この決定後、メインＣＰＵ  ２０ｂは、カーソル３６２を「戻る」にシフトさせる。ここで、選択ボタン２４を連続２回押圧すれば、「設定」から操作を最上位の階層を示す画面３６０ｃに戻す。「戻る」で選択ボタン２４を１回押圧すると、一つ前の階層に戻して項目の選択を継続することができる。
【００５５】
《マクロ》が選択ボタン２４で選択されると、メインＣＰＵ  ２０ｂは、図示しないがマクロに対応するようにＡＥ・ＡＦ用のＣＰＵ  ２０ｃに制御信号２０ｅを供給し、光学系１２のレンズをマクロの位置に制御する。「マクロ」の解除は、選択ボタン２４の連続２回の操作で行われる。
【００５６】
次に《Ｗバランス》が選択ボタン２４で選択されると、メインＣＰＵ  ２０ｂは、画面３７８ｂに「−Ｗバランス−」を表示させ、たとえば下層の項目「晴天屋外」、「日陰」、「使用する灯」および「戻る」が表示される。この階層においてメインＣＰＵ  ２０ｂは、カーソルを所定の時間間隔毎にシフトさせ、巡回させる。ユーザ（操作者）は、これらの項目の中から所望する照明を選択ボタン２４で選択してホワイトバランスを設定する。設定完了は選択ボタン２４の２回連続操作でメインＣＰＵ  ２０ｂに選択信号２４ａを供給して報知する。これにより、メインＣＰＵ  ２０ｂは、最上位の項目表示する階層に処理を戻す。
【００５７】
そして、《ＩＳＯ感度》が選択ボタン２４で選択されると、メインＣＰＵ  ２０ｂは、画面３７８ｃに「−ＩＳＯ感度−」を表示させ、たとえば下層の感度値「１００」、「２００」、「４００」および「戻る」が表示される。この階層においてメインＣＰＵ  ２０ｂはカーソルを各感度値上を巡回して表示する。この画面表示においてメインＣＰＵ  ２０ｂは、これまでの設定感度値を、たとえば楕円形で囲むように表示し、新たな感度値の設定をカーソルで表すようにしている。感度値の設定完了の場合、ユーザ（操作者）は選択ボタン２４を連続２回押圧操作する。メインＣＰＵ  ２０ｂは、選択ボタン２４から供給される選択信号２４ａに応じてＩＳＯ感度を設定する。設定後、メインＣＰＵ  ２０ｂは、最上位の項目表示する階層に処理を戻す。
【００５８】
最後に、ディジタルカメラに特有なパラメータである《画素数》の設定を行う。《画素数》が選択ボタン２４で選択されると、メインＣＰＵ  ２０ｂは、画面３７８ｄに「−画素数−」を表示させ、たとえば下層の５つの項目「６Ｍ」、「３Ｍ」、「１Ｍ」、「ＶＧＡ」および「戻る」を表示させる。この階層が選ばれると、メインＣＰＵ  ２０ｂは、カーソル３６２を所定の時間間隔毎にシフトさせ、巡回させる。ユーザ（操作者）は、これらの項目の中から所望する画素数を選択ボタン２４で選択する。この設定により報知される情報から、メインＣＰＵ  ２０ｂは、使用する記録媒体において何枚撮影可能で、この設定以降における撮影枚数等も算出することができる。設定完了は、これまで述べてきた場合と同様に選択ボタン２４の２回連続操作により「画素数」の設定処理を解除して最上位の項目表示する階層を示す画面３６０ｃに処理を戻す。
【００５９】
ディジタルカメラ１０における電源をオフにする場合、図７に示すように、最上位の階層を示す画面３６０ｄにてカーソル３６２が所定の時間間隔でシフトされ、「電源断」の位置で選択ボタン２４を選択する。《電源断》が選択されると、メインＣＰＵ  ２０ｂは、画面３８０ａに「−電源断−」を表示し、カーソルのシフトさせる項目として「電源を切ります」および「戻る」を表示する。また、《電源を切ります》が選択ボタン２４で選択されると、メインＣＰＵ  ２０ｂは、画面上に電源断までの秒数をカウントダウン表示させ、最後に画面３８２ａにて「Ｓｅｅ  ｙｏｕ！」のようなメッセージを表示した後に電源をオフにする。
【００６０】
このようにディジタルカメラ１０は、カメラが行う撮影、再生、設定、電源断にともなう各種の操作を表示されるカーソルが示す項目をカメラに配設した一つの選択ボタン２４で選択することにより簡単に操作することができる。
【００６１】
次にディジタルカメラ１０を用いた撮像システム４０について図８を用いて説明する。撮影システム４０は、ディジタルカメラ１０、アーム駆動装置４２、コントロールボックス４４およびリモートモニタ４６を含んでいる。ディジタルカメラ１０は、新たにインタフェース部３８を含んでいる。インタフェース部３８は、システムバス１００に接続されている。ディジタルカメラ１０は、システム制御部２０からの表示項目や画像データをリモートモニタ４６に送信し、コントロールボックス４４からの選択信号を受信する。インタフェース部３８は、無線電波を送受信する通信機能を有する。使用する規格には、たとえばブルートゥース（Ｂｌｕｅｔｏｏｔｈ：商標）およびＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂ等があり、これら規格の内の一つを用いている。ディジタルカメラ１０は、アーム駆動装置４２にほぼ全方向の視野が得られるように取り付けられている。
【００６２】
なお、システム制御部２０は、前述したディジタルカメラ１０の撮影、再生、設定および電源断に限定されるものでなく、アーム駆動装置４２の取付けに応じてＲＯＭ  ２２にアーム駆動制御における手順等を読み出して、制御することが好ましい。
【００６３】
アーム駆動装置４２には、アーム駆動機構４２０、移動機構４２２、アームドライバ４２４、移動ドライバ４２６およびインタフェース部４２８が含まれている。アーム駆動機構４２０には、ディジタルカメラ１０が取り付けられている。より具体的には、アーム駆動機構４２０は、図９に示すように、移動機構４２２を収納するボックス４２２ａ上に垂直に支持アーム４２０ａが立設され、支持アーム４２０ａに方向支援ボックス４２０ｂを挿通保持され、方向支援ボックス４２０ｂにはディジタルカメラ１０が取り付けられている。ディジタルカメラ１０を取付け部は図示しないが、方向支援ボックス４２０ｂ側が有する機構によりディジタルカメラ１０が落下しないように収納保持されている。
【００６４】
方向支援ボックス４２０ｂは、矢印Ａが示す支持アーム４２０ａに沿って自在に上昇／下降する。また、方向支援ボックス４２０ｂは、支持アーム４２０ａのある高さで矢印Ｂが示すように、水平面内を回動する。そして、方向支援ボックス４２０ｂには、ディジタルカメラ１０が取り付けられ、水平面に対して直交した垂直面内を回転させることもできる。これにより、ディジタルカメラ１０は、矢印Ｃに示すように回動させる。アーム駆動機構４２０は、アームドライバ４２４から供給される３つの駆動信号に応じて矢印Ａ，  Ｂ，  Ｃの方向にディジタルカメラ１０の撮影方向を変位させている。
【００６５】
また、移動機構４２２は、ボックス４２２ａに収納され、移動ドライバ４２６からの駆動信号に応じて床のような平面上を矢印Ｄ，  Ｅ方向のようにボックス４２２ａをそれぞれ、前後左右に移動させる。移動機構４２２は、たとえば４つの小タイヤを用いて平面上を静的に安定な移動を行わせるとよい。
【００６６】
図８に戻って、アームドライバ４２４および移動ドライバ４２６は、インタフェース部４２８から供給される制御信号がいずれのドライバに対して供給されたものか判別してそれぞれ該当する制御信号に応じて駆動信号を出力し、アーム駆動機構４２０、移動機構４２２を動作させる。インタフェース部４２８は、少なくとも、無線電波の受信機能を有している。インタフェース部４２８は、受信した制御信号をアームドライバ４２４、移動ドライバ４２６に供給している。インタフェース部４２８は、ディジタルカメラ１０のインタフェース部３８と同じ規格で動作する。
【００６７】
コントロールボックス４４には、操作ボタン４４０、アーム駆動制御部４４２およびインタフェース部４４４が備えられている。操作ボタン４４０は、リモートモニタ４６にて表示された所望する項目への選択可能状態を示すカーソルの重畳に応じてユーザ（操作者）の選択を行う操作手段である。
【００６８】
アーム駆動制御部４４２は、アーム駆動を行う制御信号を生成する機能を有している。コントロールボックス４４にアーム駆動制御部４４２が設けられている場合、ディジタルカメラ１０のシステム制御部２０では、撮影システム４０におけるディジタルカメラ１０それ自体の制御、ならびにディジタルカメラ１０およびアーム駆動装置４２の各項目を表示する制御が行われる。コントロールボックス４４がアーム駆動制御部４４２を持たない場合、システム制御部２０は、前述したように、ＲＯＭ  ２２にあらかじめアーム駆動制御の手順も含めておき、コントロールボックス４４の選択に応じて撮影システム４０のすべてを制御する。
【００６９】
インタフェース部４４４は、少なくとも無線電波の送信機能を有している。ここでも、使用する無線の規格は、ディジタルカメラ１０のインタフェース部３８と同じ規格である。
【００７０】
リモートモニタ４６には、インタフェース部４６０およびモニタ部４６２が含まれている。インタフェース部４４４は、少なくとも無線電波の受信機能を有していることが望ましい。ここでも、使用する無線の規格は、ディジタルカメラ１０のインタフェース部３８と同じ規格である。インタフェース部４６０は、ディジタルカメラ１０からの項目および画像データを受信して、モニタ部４６２に供給する。モニタ部４６２は、ディジタルカメラ１０のモニタ部３６と同じ構成であるから、説明を省略する。
【００７１】
なお、本発明の撮影システム４０は、無線電波でデータ通信する場合の構成に限定されるものでなく、有線でデータ通信するように構成してもよい。ただし、有線の場合、アーム駆動装置４２の移動は移動距離が限定される。有線を用いる規格には、たとえばＵＳＢ（Ｕｎｉｖｅｒｓａｌ  Ｓｅｒｉａｌ  Ｂｕｓ）規格やＩＥＥＥ１３９４規格等があり、これらの規格で可能とされる長さにより移動距離が制限される。
【００７２】
次に撮影システム４０における動作を説明する。ディジタルカメラ１０は、たとえば撮影システム用の手順をＲＯＭ  ２２から読み出し、システム制御部２０の制御により、選択する項目データがインタフェース部３８から送信される。リモートモニタ４６は、送信された項目データの電波を受信し、モニタ部４６２の液晶表示部に表示する。このとき、ディジタルカメラ１０は、カーソルを所定の時間間隔で項目上をシフトさせている。撮影システム４０に対応するため、ディジタルカメラ１０は、画面「設定」と「電源断」との間に「アーム制御」を新たに設け、リモートモニタ４６のＬＣＤ  ４６０に画面４６０ａ，  ４６０ｂ，  ４６０ｃ，  ４６０ｅがそれぞれ表示される。
【００７３】
図１０における画面４６０ａ，  ４６０ｂ，  ４６０ｃ，  ４６０ｅは、最上位の階層が示す項目のそれぞれに重畳表示された、選択可能状態を示すカーソル３６２がシフトしながら巡回している状態を示している。ここで、これらの項目の内、新たに設けられた「アーム制御」以外、前述した手順と同じであり、無線通信でデータをリモートモニタ４６に送って表示し、表示された項目およびカーソル３６２の重畳に応じてコントロールボックス４４で選択する点が異なっているだけなので、手順の説明を省略する。
【００７４】
さらに、アーム制御について図１１を用いて説明する。《アーム制御》が選択ボタン４４０で選択されると、コントロールボックス４４は、インタフェース部４４４からディジタルカメラ１０に選択したことを送信する。ディジタルカメラ１０は、コントロールボックス４４からの電波を受信して、メインＣＰＵ  ２０ｂに現在、カーソルが重畳した項目、「アーム制御」が選択されたことを報知する。ディジタルカメラ１０は、メインＣＰＵ  ２０ｂの制御により、ＲＯＭ  ２２からこの選択に関連したデータをインタフェース部３８に送り、インタフェース部３８からこのデータをリモートモニタ４６に通信する。リモートモニタ４６は、ディジタルカメラ１０からの電波をインタフェース部４６０で受信して、モニタ部４６２に送る。
【００７５】
モニタ部４６２には、表示する項目が「−アーム制御−」であり、最上位の階層直下に位置する同一階層には５つの項目「上下移動」、「垂直旋回」、「水平旋回」、「移動」および「戻る」が表示される。図１１には、上述した５つの項目の内、４つの画面４６２ａ，  ４６２ｂ，  ４６２ｃ，  ４６２ｄの選択画面を示している。また、受信した電波に応じてカーソル３６２を同一階層のこれら５つの項目に重畳させながら、所定の時間間隔毎にシフトさせる。
【００７６】
画面４６２ａにて「上下移動」が選択ボタン４４０で選択されると、ディジタルカメラ１０（メインＣＰＵ  ２２）は、無線通信によりリモートモニタ４６にデータ通信する。リモートモニタ４６には、次の画面４６４ａとして「−上下移動−」が選択され、支持アーム４２０ａの内、どの高さに方向支援ボックス４２０ｂがあるか三角形のマークが表示される。また、図示していないが、この位置から見た被写界像を同時に表示する。ユーザ（操作者）は、リモートモニタ４６に重畳表示された画像が所望の被写界か否かを判断する。
【００７７】
満足する位置にある場合、ユーザは選択ボタン４４０を２回連続して押圧操作する。この操作を受信したディジタルカメラ１０は、最上位の階層を示す画面４６０ｄに制御を戻す。また、２回連続した押圧操作されなかった場合、満足する位置にないと判断してコントロールボックス４４のアーム制御部４４２は、三角形のマークを所定の量だけ変位させるようにアーム駆動装置４２に制御信号を送信する。アーム駆動装置４２は、制御信号に応じたアーム駆動を行う。
【００７８】
なお、上下移動は、アーム駆動させる前に移動方向、「上方向」および「下方向」のいずれかを選択してから移動制御量の決定を行うようにしてもよい。
【００７９】
画面４６２ｂにて《垂直旋回》が選択ボタン４４０で選択されると、ディジタルカメラ１０は、無線通信を行う。ディジタルカメラ１０は、次の画面４６４ｂとして、「−垂直旋回−」が選択されたことを示すとともに、水平に対して現在の垂直旋回角度の大きさがどの角度にあるかを示すようにデータをリモートモニタ４６に供給する。「−垂直旋回−」は、方向支援ボックス４２０ｂの駆動によりディジタルカメラ１０を図９の矢印Ｃに対応して回動させるものであり、リモートモニタ４６には、現在の角度位置を三角形のマークで示し、たとえば画面４６４ｂに描かれているように半円周に沿って表示するとよい。リモートモニタ４６は、アーム駆動装置４２の回動量とマークの表示位置（角度）は一対一の関係にある。このとき、「上下移動」の場合と同様に図示しないがディジタルカメラ１０から送信される画像データを重畳表示する。これにより、所望の被写界にあるか否かをユーザは判断する。
【００８０】
満足する位置にある場合、選択ボタン４４０を２回連続して押圧操作することでディジタルカメラ１０およびアーム駆動装置４２に報知する。所望の位置にない場合、コントロールボックス４４内のアーム駆動制御部４４２は、この判断に応じてディジタルカメラ１０の角度を変位させる制御信号をアーム駆動装置４２に無線送信する。
【００８１】
なお、垂直旋回は、アーム駆動させる前に移動方向をたとえば、「＋半円方向」および「−半円方向」で増減する方向のいずれかを選択してから大きさを選択するようにしてもよい。
【００８２】
また、画面４６２ｃにて《水平旋回》が選択ボタン４４０で選択されると、ディジタルカメラ１０は、無線通信により、画面４６４ｃに「−水平旋回−」が選択されたことを示すとともに、水平に左  （Ｌ）１８０°と右  （Ｒ）１８０°の旋回の内、現在のいずれの旋回で旋回角度の大きさがどの角度にあるかを示すようにデータをリモートモニタ４６に供給する。画面４６４ｃに示す「−水平旋回−」では、方向支援ボックス４２０ｂに取り付けられているディジタルカメラ１０を水平に回動させることにより間接的に図９の矢印Ｂの方向に回動させるものである。リモートモニタ４６には、上下移動の場合の表示を水平に表示させ、回動角度に応じて三角形のマークで表示してもよいし、英数字で回動角度を表示させてもよい。
【００８３】
リモートモニタ４６は、アーム駆動装置４２の回動量とマークの表示位置（角度）は一対一の関係にある。このとき、前述した「上下移動」の場合と同様に図示しないがディジタルカメラ１０から送信される画像データを重畳表示する。これにより、所望の被写界にあるか否かをユーザは判断する。
【００８４】
満足する位置にある場合、選択ボタン４４０を２回連続して押圧操作することでディジタルカメラ１０およびアーム駆動装置４２に報知し、選択を最上位の階層に戻す。所望の位置にない場合、コントロールボックス４４内のアーム駆動制御部４４２は、この判断に応じてディジタルカメラ１０の角度を変位させる制御信号をアーム駆動装置４２に無線送信する。
【００８５】
なお、水平旋回は、アーム駆動させる前に移動方向をたとえば、「左方向」および「右方向」のいずれかを選択してから行うようにしてもよい。
【００８６】
そして、画面４６２ｄにて《移動》が選択ボタン４４０で選択されると、ディジタルカメラ１０は、リモートモニタ４６に表示データを送信する。リモートモニタ４６には、画面４６４ｄにて「−移動−」の項目が選択されていることを示す。画面４６４ｄには、アーム駆動装置４２が全体としてどの方向に移動させるかを示す項目「前進」、「後進」、「右移動」、「左移動」および「戻る」が表示され、同一階層の項目を表示することから、カーソル３６２は、これらの項目を所定の時間間隔でシフトさせ、何等かの項目が選択されるまで重畳を繰り返している。
【００８７】
画面４６４ｄにて《前進》が選択ボタン４４０で選択されると、リモートモニタ４６の画面４６６ｄに示すように、「−前進−」が選択されたことを表示し、「前進」および「戻る」のいずれかが選択されるようにカーソルがシフトする。《前進》が選択されると、アーム駆動制御部４４２は、所定の量だけ前進させる制御を行う。コントロールボックス４４は、アーム駆動装置４２のインタフェース部４２８を介して移動ドライバ４２６に制御信号を供給する。移動ドライバ４２６は、制御信号によって駆動制御が指示されているか否かを判断して駆動信号を移動機構４２２に出力する。移動機構４２２は、駆動信号に応じてアーム駆動装置４２を前進させる。この他の３つの項目に対する駆動も同様に行われる。
【００８８】
ここで、画面４６４ｄにて行われる《移動》の選択では、アーム駆動装置４２を移動させる駆動であることから、これまでのアーム制御で行われてきたようなある範囲にわたるアーム駆動の繰返し処理は行わない。確実に、かつ安全に動作させるため、アーム駆動制御部４４２は、１回の選択ボタン４４０の選択で所定の移動量しか動かないように制御する。また、アーム駆動制御部４４２は、ユーザとアーム駆動装置４２との間の距離が所定の距離以上に離れないように設定しておくことが望ましい。「移動」の制御は、ユーザのコントロールボックス４４による運転の習熟度に応じて移動の設定動作を変更し、より使い易いようにしてもよい。
【００８９】
以上のように構成することにより、モニタ部に表示された項目上に選択可能状態を示すカーソルを重畳し、このカーソルを所定の時間毎にシフトさせ、巡回的に表示し、選択ボタンの選択に応じて項目を切り換えて選択することにより、ユーザに複雑な操作を行わせることなく、単に選択するだけで動作手順の支援を受けることができ、所望の撮影を行うことができる。複雑なカメラ操作の苦手なユーザ、特に老人や身障者等にとって使い勝手のよいユーザフレンドリなインタフェースを有するディジタルカメラを提供することができる。
【００９０】
同一階層の項目は、カーソルの重畳シフト表示を繰返して行うから、所望の項目が確実に選択することができ、選択に応じて次に選択する項目や処理が表示されるので、一つの選択ボタンでありながら、ディジタルカメラの操作として複数の機能を有することができる。
【００９１】
撮影システムは、ディジタルカメラをアーム駆動装置に取り付け、リモートモニタに撮影に関する項目やアーム駆動装置４２の動作項目等を無線通信により表示させ、コントロールボックスで選択してディジタルカメラおよびアーム駆動装置を制御することにより、たとえば身障者のようなユーザでもカメラ撮影を楽しむことが容易にできるようになる。
【００９２】
アーム駆動装置が移動機構を有することにより、撮影範囲を広範囲に広げることができる。また、無線通信を使用することにより、有線制御に比べてアーム駆動装置の移動を安全に行うことができる。
【００９３】
【発明の効果】
このように本発明の電子カメラによれば、制御手段の時間設定機能ブロックで情報の項目に対応するカーソルによる表示を所定の時間間隔に移動するように設定し、制御手段でシフト巡回させ、第１入力手段の選択に応じて下層の階層に位置する情報の項目とともに、カーソルを第１表示手段に表示させ、カーソル位置に対応する情報の項目を第１入力手段で選択し、第１入力手段一つで電子カメラに要求される撮影および設定における操作・設定の情報等を順次誘導し、操作者に選択させることにより、複雑なカメラ操作の苦手なユーザ、特に老人や身障者等にとって使い勝手のよいユーザフレンドリなインタフェースを有するディジタルカメラを提供することができる。
【００９４】
電子カメラを用いた撮影システムは、この電子カメラをアーム駆動手段に取り付け、第２表示手段に撮影に関する項目やアーム駆動手段の動作項目等を表示させ、第２入力手段で選択して電子カメラおよびアーム駆動手段を制御することにより、たとえば身障者のようなユーザでもカメラ撮影を楽しむことが容易にできるようになる。
【図面の簡単な説明】
【図１】本発明の電子カメラを適用したディジタルカメラの概略的な構成を示すブロック図である。
【図２】図１のディジタルカメラを外観を示す図である。
【図３】図１のディジタルカメラにおける最上位の階層の項目およびカーソルの巡回シフトを示す図である。
【図４】図１のディジタルカメラにおいて撮影におけるカーソル表示と選択に応じた項目表示の関係を説明する図である。
【図５】図１のディジタルカメラにおいて再生におけるカーソル表示と選択に応じた項目表示の関係を説明する図である。
【図６】図１のディジタルカメラにおいて設定におけるカーソル表示と選択に応じた項目表示の関係を説明する図である。
【図７】図１のディジタルカメラにおいて電源断におけるカーソル表示と選択に応じた項目表示の関係を説明する図である。
【図８】図１のディジタルカメラを用いた撮影システムの概略的な構成を示すブロック図である。
【図９】図８の撮影システムにおいてディジタルカメラのアーム駆動の動作を説明する図である。
【図１０】図８の撮影システムでリモートモニタに表示される最上位の階層の項目およびカーソルの巡回シフトを示す図である。
【図１１】図８の撮影システムにおけるリモートモニタに表示されるアーム制御の項目およびカーソルの巡回シフトならびに駆動指標の表示の仕方を示す図である。
【符号の説明】
１０  ディジタルカメラ
１２  光学系
１４  撮像部
１８  信号処理部
２０  システム制御部
２０ｂ  メインＣＰＵ
２０ｃ  ＡＥ・ＡＦ用のＣＰＵ
２２  ＲＯＭ
２４  操作ボタン
２６  ドライバ
３０  フラッシュ部
３２  インタフェース部
３６  モニタ部
【図１】
2004186798.tif 000003
【図２】
2004186798.tif 000004
【図３】
2004186798.tif 000005
【図４】
2004186798.tif 000006
【図５】
2004186798.tif 000007
【図６】
2004186798.tif 000008
【図７】
2004186798.tif 000009
【図８】
2004186798.tif 000010
【図９】
2004186798.tif 000011
【図１０】
2004186798.tif 000012
【図１１】
2004186798.tif 000013